(57)【要約】      （修正有）【課題】衛生的で何時も埃、汚れを心配する事なく美しく使用する事のできるしゃもじかけを提供する。【解決手段】本体の下部の前面のある必要な位置に磁石がつき、シートの握り手の裏面に付いている磁石と、引着することによって、シートが蓋、役をしている、これによりシートを閉じことができる。そのシートは完全に密着出来るようにできている。シートと本体は両側の上部の頂点から下部へある程度の幅に横一例に圧着し固定ができている。又それを補強する為にハトメを使用して補強をしている。【選択図】図１
2006326255.tif 000002
【特許請求の範囲】
【請求項１】
塩ビで出来た板は逆Ｌ型の形をなしており、その板の任意の必要な位置からは、逆ｈ型で出来ており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニールで柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。。
【発明の詳細な説明】
【技術分野】
【０００１】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニールで柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。。［肯景技術］【０００２】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で、固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニール製で柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。台所の戸棚などの壁へきに、横筋棒の裏側の平面に何かの接着するものを使用して固定し自由自在に移動が出来るシャモジ掛にかけており、それにはなんの覆い、蓋もなくそのままでは、埃、ごみ、害虫などが付きやくて反衛生的あり良い気持ちがしない、この様な情景をよくみかける。のでこの様な非衛生敵な情景をなくする方法がないかと、思案し、工夫したのが本発明である。これを使用することにより衛生的で何時も埃、汚れを心配する事なく美しく使用する事ができる・［発明の開示］［発明が解決しようとする課題］【０００３】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で、固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニール製で柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。台所の戸棚などの壁へきに、横筋棒の裏側の平面に何かの接着するものを使用して固定し自由自在に移動が出来るシャモジ掛にかけており、それにはなんの覆い、蓋もなくそのままでは、埃、ごみ、害虫などが付きやくて反衛生的あり良い気持ちがしない、この様な情景をよくみかける。のでこの様な非衛生敵な情景をなくする方法がないかと、思案し、工夫したのが本発明である。これを使用することにより衛生的で何時も埃、汚れを心配する事なく美しく使用する事ができる・［課題を解決するための手段］【０００４】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で、固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニール製で柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。台所の戸棚などの壁へきに、横筋棒の裏側の平面に何かの接着するものを使用して固定し自由自在に移動が出来るシャモジ掛にかけており、それにはなんの覆い、蓋もなくそのままでは、埃、ごみ、害虫などが付きやくて反衛生的あり良い気持ちがしない、この様な情景をよくみかける。のでこの様な非衛生敵な情景をなくする方法がないかと、思案し、工夫したのが本発明である。これを使用することにより衛生的で何時も埃、汚れを心配する事なく美しく使用する事ができる・［発明の効果］【０００５】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で、固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニール製で柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。台所の戸棚などの壁へきに、横筋棒の裏側の平面に何かの接着するものを使用して固定し自由自在に移動が出来るシャモジ掛にかけており、それにはなんの覆い、蓋もなくそのままでは、埃、ごみ、害虫などが付きやくて反衛生的あり良い気持ちがしない、この様な情景をよくみかける。のでこの様な非衛生敵な情景をなくする方法がないかと、思案し、工夫したのが本発明である。これを使用することにより衛生的で何時も埃、汚れを心配する事なく美しく使用する事ができる・［発明を実施するための最良の形態］【０００６】塩ビで出来た逆ｈ型の形をなしており、その板の任意の必要な位置からは、逆ｈ型で出来たており、前面は空間をもち、その底面には幅のある、深さの底をもち、丁度、水槽のような形をし全体を水槽を持った逆ｈ型の形状をなした物である。その前面の中央あたりに、しゃもじを掛けるのに必要なＪ型をした軸棒をつるすのに輪状が自由自在左右に移動出来る横棒がある時点で、固定されている。本体の下部の前面のある必要な位置に磁石がつき、シートの握り手の裏面に付いている磁石と、引着することによって、シートが蓋、役をしている、これによりシートを閉じことができる。又、本体の外側の上部にはこれを吊るすことが出来るように穴が設けている。シートは本体と同じ形状をしたもので、透明なビニール製で柔らかいもので出来ていて、淵に沿って塩ビ製の棒状がついている又、その前面の下部の必要な位置に握り手が付き、その裏面には磁石が付いている。そのシートは完全に密着出来るようにできている。シートと本体は両側の上部の頂点から下部へある程度の幅に横一例に圧着し固定ができている。又それを補強する為にハトメを使用して補強をしている。台所の戸棚などの壁へきに、横筋棒の裏側の平面に何かの接着するものを使用して固定し自由自在に移動が出来るシャモジ掛にかけており、それにはなんの覆い、蓋もなくそのままでは、埃、ごみ、害虫などが付きやくて反衛生的あり良い気持ちがしない、この様な情景をよくみかける。のでこの様な非衛生敵な情景をなくする方法がないかと、思案し、工夫したのが本発明である。これを使用することにより衛生的で何時も埃、汚れを心配する事なく美しく使用する事ができる・
【図面の簡単な説明】
【０００７】
【図１】本発明の斜視図
【符号の説明】
【０００８】１  プラスック板とビニールシートを圧着くした部分２  プラスチック板のｈ型をした側面３  開閉のための握り手と裏面に磁石が付いている４  プラスチックｈ型の前面の部分に、シートの磁石とが引着する部分５  プラスチックの水槽型の前面６  しゃもじを掛ける軸輪を通す横軸７  しゃもじを掛ける軸８  シートの蓋を全面に開けた前面の図９  スライド式のスライド部分の支柱１０  シートの穴とＨ形状の支柱を留める穴１１  発明品をぶら下げるための穴１２  物干し竿に掛かっているハンガ
【図１】
2006326255.tif 000003